(57)【要約】【課題】原稿の廃棄を制限する。【解決手段】原稿の原本には、基材に磁性材料が含有されてなる用紙が利用される。また、原本ではないが複写禁止のものには、用紙表面に２次元コード画像が形成された用紙が利用される。また、原稿の原本であって複写禁止のものには、基材に磁性材料が含有され、且つ、用紙表面に２次元コード画像が形成されてなる用紙が利用される。廃棄装置１００は、原稿から検出した磁性材料や２次元コード画像に基づいて、その原稿の種別を特定し、特定した種別からその原稿の廃棄の要否などを判定する。【選択図】図４
2009015243.tif 000002
【特許請求の範囲】
【請求項１】
シート状物の種別と、前記シート状物の廃棄の要否を表す廃棄要否情報とを対応付けて記憶する記憶手段と、
前記シート状物から検出した検出値乃至検出情報に基づいて前記シート状物の種別を特定する特定手段と、
前記特定手段によって特定された種別に対応付けて前記記憶手段に記憶されている廃棄要否情報に基づいて、前記シート状物の廃棄の要否を判定する判定手段と、
前記判定手段によって廃棄要と判定された場合には、前記シート状物を廃棄する廃棄手段へと前記シート状物を搬送する搬送制御手段と
を備えることを特徴とする搬送装置。
【請求項２】
前記搬送制御手段は、前記判定手段によって廃棄否と判定された場合には、前記シート状物を廃棄せずに収容又は排出する非廃棄手段へと前記シート状物を搬送する
ことを特徴とする請求項１記載の搬送装置。
【請求項３】
前記特定手段は、
前記シート状物に含有されている被検出体の有無と、前記シート状物の種別とを対応付けて記憶しており、
前記シート状物に含有されている前記被検出体に応じた検出値を前記シート状物から検出するよう試み、その検出結果に対応付けて記憶している種別を、前記シート状物の種別として特定する
ことを特徴とする請求項１又は２に記載の搬送装置。
【請求項４】
前記特定手段は、
前記シート状物表面に形成されている符号化画像の有無と、前記シート状物の種別とを対応付けて記憶しており、
前記シート状物表面に形成されている前記符号化画像に応じた検出情報を前記シート状物から検出するよう試み、その検出結果に対応付けて記憶している種別を、前記シート状物の種別として特定する
ことを特徴とする請求項１〜３のいずれか１項に記載の搬送装置。
【請求項５】
前記記憶手段によって記憶されている前記シート状物の種別又は前記廃棄要否情報を、操作者の操作に従って変更する変更手段
を備えることを特徴とする請求項１〜４のいずれか１項に記載の搬送装置。
【請求項６】
前記シート状物の種別単位で、前記特定手段によって当該種別が特定された回数を計測し、記憶する計測手段と、
前記計測手段によって記憶された回数及び種別を出力する出力手段と
を備えることを特徴とする請求項１〜５のいずれか１項に記載の搬送装置。
【請求項７】
前記特定手段によって特定された種別と、前記判定手段によって判定された廃棄の要否とを記憶する記憶手段と、
前記記憶手段によって記憶された種別及び廃棄の要否を出力する出力手段と
を備えることを特徴とする請求項１〜６のいずれか１項に記載の搬送装置。
【請求項８】
前記記憶手段は、前記廃棄要否情報に加えて、廃棄否の場合に、前記シート状物を廃棄せずに収容又は排出する複数の非廃棄手段のうち前記シート状物の搬送先となる非廃棄手段を、前記種別と対応付けて記憶しており、
前記搬送制御手段は、前記判定手段によって廃棄否と判定された場合に、前記特定手段によって特定された種別に対応付けて前記記憶手段に記憶された非廃棄手段へと、前記シート状物を搬送する
ことを特徴とする請求項１，３〜７のいずれか１項に記載の搬送装置。
【請求項９】
前記記憶手段は、廃棄要否情報に加えて、廃棄要の場合に、複数の前記廃棄手段のうち前記シート状物の搬送先となる廃棄手段を、前記種別と対応付けて記憶しており、
前記搬送制御手段は、前記判定手段によって廃棄要と判定された場合に、前記特定手段によって特定された種別に対応付けて前記記憶手段に記憶された廃棄手段へと、前記シート状物を搬送する
ことを特徴とする請求項１〜８のいずれか１項に記載の搬送装置。
【請求項１０】
前記廃棄手段は、複数の廃棄方法で前記シート状物を廃棄する手段であり、
前記記憶手段は、廃棄要否情報に加えて、廃棄要の場合の前記シート状物の廃棄方法を、前記種別と対応付けて記憶しており、
前記判定手段によって廃棄要と判定された場合に、前記特定手段によって特定された種別に対応付けて前記記憶手段に記憶された廃棄方法で前記シート状物を廃棄するよう、前記廃棄手段を制御する廃棄制御手段を備える
ことを特徴とする請求項１〜９のいずれか１項に記載の搬送装置。
【請求項１１】
前記搬送制御手段は、
前記判定手段によって廃棄否と判定された場合には、前記シート状物の搬送を一時停止させて、当該シート状物の廃棄の要否を問い合わせ、その問い合わせの結果、廃棄要の応答を受け取ったときには、前記シート状物の搬送を再開して、当該シート状物を前記廃棄手段へと搬送する
ことを特徴とする請求項１〜１０のいずれか１項に記載の搬送装置。
【請求項１２】
請求項１〜１１のいずれか１項に記載の搬送装置と、
前記判定手段によって廃棄要と判定された場合に前記搬送装置から搬送されてくる前記シート状物を廃棄する前記廃棄手段と
を備えることを特徴とする廃棄装置。
【発明の詳細な説明】
【技術分野】
【０００１】
本発明は、搬送装置及び廃棄装置に関する。
【背景技術】
【０００２】
原稿の複写を制限する技術として、特許文献１に開示されたものがある。この技術では、まず、用紙に画像を形成して原稿を作成する過程で、その用紙から固有の識別番号を読み取り、その識別番号を複写の可否情報とともにデータベースに記録しておく。そして、複写機が上記原稿を複写する際には、その原稿から上記識別番号を読み取り、データベースの記録内容と照合することによって複写の可否を判断する。この識別番号を用紙に記録する手段として、例えば用紙に２次元コード画像を形成したり、用紙に無線式データキャリアを取り付けたりするものが開示されている。
【特許文献１】特開２００１−２６５１８３号公報
【発明の開示】
【発明が解決しようとする課題】
【０００３】
上記のように原稿の複写を制限する以外に、原稿の廃棄を制限する技術が望まれている。そこで、本発明の目的は、原稿の廃棄を制限する技術を提供することにある。
【課題を解決するための手段】
【０００４】
上述の目的を達成するために、本発明は、シート状物の種別と、前記シート状物の廃棄の要否を表す廃棄要否情報とを対応付けて記憶する記憶手段と、前記シート状物から検出した検出値乃至検出情報に基づいて前記シート状物の種別を特定する特定手段と、前記特定手段によって特定された種別に対応付けて前記記憶手段に記憶されている廃棄要否情報に基づいて、前記シート状物の廃棄の要否を判定する判定手段と、前記判定手段によって廃棄要と判定された場合には、前記シート状物を廃棄する廃棄手段へと前記シート状物を搬送する搬送制御手段とを備えることを特徴とする搬送装置を提供する。
【０００５】
本発明の好ましい態様において、前記搬送制御手段は、前記判定手段によって廃棄否と判定された場合には、前記シート状物を廃棄せずに収容又は排出する非廃棄手段へと前記シート状物を搬送する。
【０００６】
本発明の好ましい態様において、前記特定手段は、前記シート状物に含有されている被検出体の有無と、前記シート状物の種別とを対応付けて記憶しており、前記シート状物に含有されている前記被検出体に応じた検出値を前記シート状物から検出するよう試み、その検出結果に対応付けて記憶している種別を、前記シート状物の種別として特定する。
【０００７】
本発明の好ましい態様において、前記特定手段は、前記シート状物表面に形成されている符号化画像の有無と、前記シート状物の種別とを対応付けて記憶しており、前記シート状物表面に形成されている前記符号化画像に応じた検出情報を前記シート状物から検出するよう試み、その検出結果に対応付けて記憶している種別を、前記シート状物の種別として特定する。
【０００８】
本発明の好ましい態様において、前記記憶手段によって記憶されている前記シート状物の種別又は前記廃棄要否情報を、操作者の操作に従って変更する変更手段を備える。
【０００９】
本発明の好ましい態様において、前記シート状物の種別単位で、前記特定手段によって当該種別が特定された回数を計測し、記憶する計測手段と、前記計測手段によって記憶された回数及び種別を出力する出力手段とを備える。
【００１０】
本発明の好ましい態様において、前記特定手段によって特定された種別と、前記判定手段によって判定された廃棄の要否とを記憶する記憶手段と、前記記憶手段によって記憶された種別及び廃棄の要否を出力する出力手段とを備える。
【００１１】
本発明の好ましい態様において、前記記憶手段は、前記廃棄要否情報に加えて、廃棄否の場合に、前記シート状物を廃棄せずに収容又は排出する複数の非廃棄手段のうち前記シート状物の搬送先となる非廃棄手段を、前記種別と対応付けて記憶しており、前記搬送制御手段は、前記判定手段によって廃棄否と判定された場合に、前記特定手段によって特定された種別に対応付けて前記記憶手段に記憶された非廃棄手段へと、前記シート状物を搬送する。
【００１２】
本発明の好ましい態様において、前記記憶手段は、廃棄要否情報に加えて、廃棄要の場合に、複数の前記廃棄手段のうち前記シート状物の搬送先となる廃棄手段を、前記種別と対応付けて記憶しており、前記搬送制御手段は、前記判定手段によって廃棄要と判定された場合に、前記特定手段によって特定された種別に対応付けて前記記憶手段に記憶された廃棄手段へと、前記シート状物を搬送する。
【００１３】
本発明の好ましい態様において、前記廃棄手段は、複数の廃棄方法で前記シート状物を廃棄する手段であり、前記記憶手段は、廃棄要否情報に加えて、廃棄要の場合の前記シート状物の廃棄方法を、前記種別と対応付けて記憶しており、前記判定手段によって廃棄要と判定された場合に、前記特定手段によって特定された種別に対応付けて前記記憶手段に記憶された廃棄方法で前記シート状物を廃棄するよう、前記廃棄手段を制御する廃棄制御手段を備える。
【００１４】
本発明の好ましい態様において、前記搬送制御手段は、前記判定手段によって廃棄否と判定された場合には、前記シート状物の搬送を一時停止させて、当該シート状物の廃棄の要否を問い合わせ、その問い合わせの結果、廃棄要の応答を受け取ったときには、前記シート状物の搬送を再開して、当該シート状物を前記廃棄手段へと搬送する。
【００１５】
また、本発明は、上記のいずれかの搬送装置と、前記判定手段によって廃棄要と判定された場合に前記搬送装置から搬送されてくる前記シート状物を廃棄する前記廃棄手段とを備えることを特徴とする廃棄装置を提供する。
【発明の効果】
【００１６】
本発明によれば、シート状物の種別に応じて、そのシート状物の廃棄を制限することが可能となる。
【発明を実施するための最良の形態】
【００１７】
以下、本発明の実施の形態について図面を参照しつつ説明する。
［構成］
本実施形態の廃棄装置によって廃棄される用紙には、基材に磁性材料が含有されてなる用紙や、用紙表面に２次元コード画像が形成された用紙などのように、パルプ繊維だけからなる通常の用紙とは異なる特殊な用紙が含まれている。重要な内容の原稿、資料又は書類（以下、単に原稿という）の作成には、これらの特殊な用紙が用いられる。例えば原稿の原本には、基材に磁性材料が含有されてなる用紙が利用される。また、原本ではないが複写禁止の原稿には、用紙表面に２次元コード画像が形成された用紙が利用される。また、原稿の原本であって、さらに複写禁止のものには、基材に磁性材料が含有され、且つ、用紙表面に２次元コード画像が形成されてなる用紙が利用される。廃棄装置は、原稿から検出した磁性材料や２次元コード画像に基づいて、その原稿の種別を特定し、特定した種別からその原稿の廃棄の要否を判定する。ここでいう「廃棄」とは、原稿として再利用が困難になるように物理的又は化学的な作用で変化させることを指し、例えば原稿の裁断、破損、破壊、粉砕、溶解又は変質などを含むものであるが、以下の説明では、その廃棄の一例として、原稿を裁断する場合を説明する。
【００１８】
まず、原稿の作成に用いられる用紙の構成について説明する。
図１は、基材Ｓｈ１に磁性材料Ｓｈ２を埋め込んでなる用紙Ｓを示す平面図である。基材Ｓｈ１は、通常の用紙と同様のものであり、その主な構成材料はパルプ繊維である。磁性材料Ｓｈ２は、例えば繊維状の磁性体であり、大バルクハウゼン効果を起こす特性を有している。この磁性材料Ｓｈ２の太さは用紙Ｓの厚み以下であり、数本〜５０本程度の磁性材料Ｓｈ２が基材Ｓｈ１の全面にわたって漉き込まれている。図１では、磁性材料Ｓｈ２を実線で示しているが、実際には、用紙Ｓｈを光にかざした場合などには磁性材料Ｓｈ２の位置や形状がある程度視認できるようになっているものの、それ以外の場合には視認しづらいようになっている。さらに、用紙Ｓｈの表面には、原稿の内容を表す文字や図形などの画像が形成されているため、磁性材料Ｓｈ２の位置や形状を視認するのはいっそう困難である。この磁性材料Ｓｈ２は、用紙Ｓの廃棄の要否や、その廃棄に関わる各種の付随的な処理内容を判断するための情報としての役割を果たす。
【００１９】
ここで、大バルクハウゼン効果について簡単に説明しておく。
図２は、大バルクハウゼン効果を説明するための図である。大バルクハウゼン効果は、図２（ａ）に示すようなＢ−Ｈ特性、つまりヒステリシスループがほぼ長方形で保持力（Ｈｃ）が比較的小さな材料、例えば、Ｃｏ−Ｆｅ−Ｎｉ−Ｂ−Ｓｉからなるアモルファス磁性材料を、交番磁界中においた際に急峻な磁化反転が起きる現象である。このため、励磁コイルに交流電流を流して交番磁界を発生させ、その交番磁界中に磁性材料を置くと、磁化反転時に、磁性材料の近傍に配置した検知コイルにパルス状の電流が流れることとなる。例えば、励磁コイルにより図２（ｂ）の上段に示すような波形の交番磁界を発生させた場合、検知コイルには、図２（ｂ）の下段に示すような波形のパルス電流が流れることとなる。ただし、検知コイルに流れる電流には、交番磁界によって誘導される交流電流も含まれており、パルス電流は、この交流電流に重畳されて検出されることとなる。また、複数の磁性材料を含むものを交番磁界中に置いた場合には、検知コイルには複数のパルス電流が重畳され、図２（ｃ）に示すような波形の電流が検出されることとなる。従って、用紙の近傍に配置した検知コイルによって、上記波形に相当する検出値が検出された場合には、その用紙に磁性材料が含まれていると判断することができる。
【００２０】
次に、図３は、表面に２次元コード画像が形成された用紙を示す平面図である。
図３に示すように、用紙Ｓの所定の位置には、２次元コード画像Ｃが形成されている。この２次元コード画像Ｃは、用紙Ｓの種別そのものを符号化した画像又はその種別を判定するための根拠となる情報を符号化した画像である。この２次元コード画像Ｃも、上記の磁性材料と同じく、用紙Ｓの廃棄の要否や、その廃棄に関わる各種の付随的な処理内容を判断するための情報としての役割を果たす。この２次元コード画像Ｃは、どのような方向からでも読み取り可能なように、ここでは用紙Ｓの４隅の所定の位置にそれぞれ形成されている。用紙Ｓの近傍に配置された画像読取部によって、２次元コード画像Ｃに相当する検出情報が検出された場合には、その用紙表面に２次元コード画像Ｃが形成されていると判断されることになる。
【００２１】
次に、図４は、廃棄装置１００の構造を示す図である。
図４に示すように、廃棄装置１００は、用紙トレイ１０１ａと、複数のロール部材１０１ｂ，１０１ｃ-1，１０１ｃ-2と、搬送方向切替部材１０１ｄ-1，１０１ｄ-2と、画像読取部１０１ｅ，１０１ｆと、第１排紙ボックス１０１ｇと、第２排紙ボックス１０１ｈとを有する仕分搬送装置１０１と、開口部１０２ａと、カッター部１０２ｂと、用紙検知部１０２ｃと、裁断屑収納箱１０２ｄとを有する裁断装置１０２とを備えている。仕分搬送装置１０１と裁断装置１０２とは、筐体が一体に成形された装置であってもよいし、それぞれ別々の筐体を持つ別体の装置であってもよい。以下の説明では、第１排紙ボックス１０１ｇと第２排紙ボックス１０１ｈとを総称して、排紙ボックス１０１ｇ，１０１ｈと呼ぶことがある。
【００２２】
仕分搬送装置１０１の用紙トレイ１０１ａ内部には、その用紙トレイ１０１ａに置かれた用紙に対向する位置に、磁性材料を検出するための検出部１０が設けられている。この用紙トレイ１０１ａには１枚ずつ用紙が置かれるようになっており、置かれた用紙は、検出部１０による磁性材料の検出が試みられた後に、回転するロール部材１０１ｃ-1によって下方に搬送される。
【００２３】
画像読取部１０１ｅ，１０１ｆは、用紙トレイ１０１ａの上方と下方にそれぞれ２つずつ設けられており、用紙トレイ１０１ａからロール部材１０１ｃ-1によって搬送されていく用紙から２次元コード画像を読み取る。画像読取部１０１ｅ，１０１ｆが用紙トレイ１０１ａの上方と下方にそれぞれ設けられている理由は、２次元コード画像が形成された用紙の表面が、用紙トレイ１０１ａの上方と下方のどちら向きに置かれたとしても、それを読み取るようにするためである。この画像読取部１０１ｅ，１０１ｆはそれぞれ、センサと、光源と、信号処理回路とを備えている。センサは、例えば密着型のＣＣＤ（Charge Coupled Device）イメージセンサであり、用紙の表面又は裏面をそれぞれ撮像してその濃淡を示す画像信号を生成する。光源は、例えば蛍光ランプであり、それぞれのセンサが撮像を行う位置に光を照射する。信号処理回路は、センサから供給される画像信号にＡＤ変換等の信号処理を実行し、アナログの画像信号をデジタルの画像データに変換し、後述する制御部へ出力する回路である。
【００２４】
用紙トレイ１０１ａの下方に設けられた搬送方向切替部材１０１ｄ-1は、制御部からの指示に従って、用紙の搬送方向を裁断装置１０２側又は排紙ボックス１０１ｇ，１０１ｈ側に切り替える。裁断装置１０２側に搬送された用紙は、回転するロール部材１０１ｃ-2によって裁断装置１０２の開口部１０２ａへと搬送される。用紙検知部１０２ｃは、開口部１０２ａから裁断装置１０２内部へ進入してくる用紙を光学的に検知すると、その旨の検知信号をカッター部１０２ｂに送る。カッター部１０２ｂは、複数の円形刃が互い違いに組み合わされたものであり、上記検知信号を受け取るとスイッチオンとなり、これらの円形刃を一定期間だけ回転させる。この回転刃の回転により用紙が細かく裁断され、その裁断屑が裁断屑収納箱１０２ｄへと落下する。
【００２５】
なお、用紙がロール部材１０１ｃ-1によって搬送されると同時にカッター部１０２ｂの円形刃によって裁断される場合には、ロール部材１０１ｃ-1の回転速度と円形刃の回転速度は同一であることが望ましい。一方、用紙の後端がロール部材１０１ｃ-1から離れた後に、その用紙がカッター部１０２ｂの円形刃によって裁断される場合には、ロール部材１０１ｃ-1の回転速度は円形刃の回転速度と必ずしも同一でなくてもよい。
【００２６】
一方、排紙ボックス１０１ｇ，１０１ｈ側に搬送された用紙は、複数のロール部材１０１ｂによって図中左方向へと搬送される。このとき、排紙ボックス１０１ｇ，１０１ｈの上方に設けられた搬送方向切替部材１０１ｄ-2は、制御部からの指示に従って、用紙の搬送方向を第１排紙ボックス１０１ｇ又は第２排紙ボックス１０１ｈのいずれかに切り替える。従って、用紙は搬送方向切替部材１０１ｄ-2の案内に従って、第１排紙ボックス１０１ｇ又は第２排紙ボックス１０１ｈのいずれかへと落下することになる。
【００２７】
次に、検出部１０の具体的構成について説明する。
図５に示すように、検出部１０は、励磁コイル１１−１、励磁コイル１１−２、検知コイル１２−１及び検知コイル１２−２を備えている。これらの励磁コイル１１−１と検知コイル１２−１とが対となり、また、励磁コイル１１−２と検知コイル１２−２とが対となって、用紙１から情報の検出を行う。励磁コイル１１−１と励磁コイル１１−２は、ともに電源１３に接続されている。この電源１３は、励磁コイル１１−１と励磁コイル１１−２に交流電流を流す電源であり、例えば、１ｋＨｚの交流電圧を励磁コイル１１−１、励磁コイル１１−２に印加し、交番磁界を発生させる。検知コイル１２−１の出力は、ＨＰＦ１４−１、積分器１５−１、ＡＤＣ１６−１を介して出力されるようになっており、検知コイル１２−２の出力は、ＨＰＦ１４−２、積分器１５−２、ＡＤＣ１６−２を介して出力されるようになっている。
【００２８】
ＨＰＦ１４−１とＨＰＦ１４−２は、ハイパスフィルタであり、それぞれ、検知コイル１２−１の出力と検知コイル１２−２の出力から交番磁界によって誘導される電流、例えば、１ｋＨｚの電流成分を除去し、磁性材料が起こす大バルクハウゼン効果によるパルス電流のみを通過させる。積分器１５−１と積分器１５−２は、それぞれ、ＨＰＦ１４−１が通過させたパルス電流とＨＰＦ１４−２が通過させたパルス電流を積分する。この積分のタイミングは、制御部１０１ｊの制御に基づいて行われる。ＡＤＣ１６−１とＡＤＣ１６−２は、ＡＤコンバータであり、それぞれ、積分器１５−１の出力と積分器１５−２の出力をディジタルデータに変換し、制御部へ出力する。
【００２９】
この図５に示した検知コイル１２−１と検知コイル１２−１が検出するパルス電流の数は、用紙に含まれる磁性材料の数に応じたものとなり、ＨＰＦ１４−１とＨＰＦ１４−２の出力は、図２（ｃ）に示したような形状の波形となる。したがって、励磁磁界がゼロからピーク値となり再びゼロになるまでの期間のパルスを積分器１５−１、積分器１５−２で積分すると、パルスの数によって積分値が変化するため、用紙の各領域の磁性材料の密度（数）を求めることもできる。ただし、ここでは、磁性材料の有無さえ分かれば足りるので、制御部は、パルス波形が検出されたときには磁性材料有りと判断し、パルス波形が検出されないときには磁性材料無しと判断するだけでよい。
【００３０】
次に、図６は、廃棄装置１００の機能構成を示すブロック図である。
仕分搬送装置１０１は、前述した複数のロール部材１０１ｂ，１０１ｃ-1，１０１ｃ-2からなる搬送部１０１ｉ、検出部１０及び画像読取部１０１ｅ，１０１ｆのほか、制御部１０１ｊと、記憶部１０１ｋと、通信部１０１ｍと、表示操作部１０１ｎとを備えている。裁断装置１０２は、前述したカッター部１０２ｂ及び用紙検知部１０２ｃを備えている。仕分搬送装置１０１の制御部１０１ｊは、ＣＰＵなどのマイクロプロセッサやＲＡＭなどのメモリを備えている、記憶部１０１ｋは、フラッシュメモリなどの不揮発性の記憶手段であり、廃棄の要否などの情報を用紙の種別毎に記述した廃棄要否テーブルを記憶している。また、この記憶部１０１ｋには、用紙に対する廃棄処理や各種の付随的な処理に関する履歴を記憶するための記憶エリアが設けられている。通信部１０１ｍは、ネットワーク２００を介して、データベースサーバ装置２０１や、パーソナルコンピュータによって実現されるオペレータ端末２０２に接続されており、これらの装置２０１又は端末２０２と通信を行う。表示操作部１０１ｎは、ディスプレイと複数の操作子とを備えており、制御部１０１ｊからの指示に応じて情報を表示するほか、操作者の操作内容を制御部１０１ｊに通知する。
【００３１】
図７は、廃棄要否テーブルの内容を例示した図である。
この廃棄要否テーブルには、磁性材料の有無と２次元コード画像の有無との組み合わせによって区分された用紙の種別毎に、各種別の用紙の廃棄の要否を表す廃棄要否情報、履歴の要否を表す履歴要否情報、廃棄否の場合の排出先となる排紙ボックスの別、及び、アラームの要否を表すアラーム要否情報とが対応付けて記述されている。廃棄要否情報以外の、履歴要否情報、排紙ボックスの別及びアラーム要否情報は、廃棄処理に付随して発生する処理（以下、付随処理という）の内容を規定する情報である。管理権限を持つ操作者が表示操作部１０１ｎ又はオペレータ端末２０２を操作して、この廃棄要否テーブルの内容として所望のものを入力すると、制御部１０１ｊは、廃棄要否テーブルをその入力内容で上書きすることで、廃棄要否テーブルの内容を変更することが可能となっている。
【００３２】
例えば、磁性材料と２次元コード画像とがいずれも「有り」の用紙の種別は、「ＳＩＤ００１」である。このような用紙は、原稿の原本であり、且つ、複写が禁止された重要なものである可能性が高い。よって、廃棄（裁断）せずに第１排紙ボックス１０１ｇに排出し、その処理の履歴を記録するとともに、オペレータ端末２０２に対して、原稿の原本が廃棄装置１００に入れられた旨のメッセージアラームを出力するよう決められている。また、磁性材料が「有り」で２次元コード画像が「無し」の用紙の種別は、「ＳＩＤ００２」である。このような用紙は、原稿の原本ではあるものの、複写が禁止されていないことから、あまり重要なものではないことが予想されるので、廃棄（裁断）してその履歴を記録するように決められている。また、磁性材料が「無し」で２次元コード画像が「有り」の用紙の種別は、「ＳＩＤ００３」である。このような用紙は、複写禁止の原稿の原本が不正に複写されたものである可能性が高いので、廃棄（裁断）せずに第２排紙ボックス１０１ｈに排出し、その処理の履歴を記録するとともに、オペレータ端末２０２に対して、不正コピーが廃棄装置に入れられた旨のメッセージアラームを出力するよう決められている。また、磁性材料も２次元コード画像も「無し」の用紙の種別は、「ＳＩＤ００４」である。このような用紙に対しては、廃棄（裁断）してその履歴も記録しなくてよい。
【００３３】
記憶部１０１ｋに記憶される履歴は、上記の廃棄要否テーブルの内容に従って判定した廃棄の要否や、用紙に対して廃棄又は排出等の処理を行った日時や、その用紙の種別や、用紙種別毎の処理枚数などの様々な履歴を含んでいる。
ここで、図８は、例えば用紙種別毎の処理枚数を履歴として記録するための処理枚数テーブルの内容を例示した図である。この処理枚数テーブルには、用紙種別と、各々の種別の用紙の処理枚数とが対応付けられて記述されている。図８の例では、種別「ＳＩＤ００１」の用紙５枚が処理（つまり廃棄）され、種別「ＳＩＤ００」の用紙１３枚が処理（つまり排出）され、種別「ＳＩＤ００３」の用紙３枚が処理（つまり排出）され、種別「ＳＩＤ００４」の用紙３５８枚が処理（つまり廃棄）された例が示されている。制御部１０１ｊは用紙の種別を特定するたびに、この処理枚数テーブルにおける枚数を１つインクリメントする。これらの履歴は、必要に応じて、表示操作部１０１ｎに表示されたり、廃棄装置１００からデータベースサーバ装置２０１又はオペレータ端末２０２に送信（出力）される。
【００３４】
［動作］
次に、廃棄装置１００の動作を説明する。
図９は、制御部１０１ｊが実行する処理を示すフローチャートである。廃棄装置１００の利用者が、廃棄したい用紙を用紙トレイ１０１ａに置き、表示操作部１０１ｎを操作して廃棄の旨を指示すると、制御部１０１ｊは、図９に示す処理を開始する。まず、制御部１０１ｊは、検出部１０によって用紙から磁性材料の検出を試みる（ステップＳ１）。次に、ロール部材１０１ｃ-1によって用紙の搬送を開始し（ステップＳ２）、搬送中の用紙から２次元コード画像の読み取りを試みる（ステップＳ３）。
【００３５】
そして、用紙の搬送方向先端部分が搬送方向切替部材１０１ｄ-1に差しかかるときまでに、制御部１０１ｊは、用紙における磁性材料及び２次元コード画像の有無に基づき、用紙の種別を特定する（ステップＳ４）。次に、制御部１０１ｊは、特定した種別に対応付けて廃棄要否テーブルに記述されている廃棄要否情報などの各種情報を参照して、廃棄の要否と、その処理に付随して発生する処理の内容を判定する（ステップＳ５）。
【００３６】
ここで、制御部１０１ｊが廃棄要と判定した場合には、搬送方向切替部材１０１ｄ-1を裁断装置１０２側へと切り替えて（ステップＳ６）、用紙を裁断装置１０２の開口部１０２ａへと搬送する（ステップＳ７）。用紙検知部１０２ｃが、開口部１０２ａから裁断装置１０２内部へ進入してくる用紙を検知すると、カッター部１０２ｂが円形刃の回転を開始し、この回転刃の回転により用紙が細かく裁断され、その裁断屑が裁断屑収納箱１０２ｄへと落下する。そして、制御部１０１ｊは、上記の廃棄処理の履歴を記憶するなどの付随処理を行って（ステップＳ８）、図９に示す処理を終了する。
【００３７】
一方、制御部１０１ｊが廃棄否と判定した場合には、搬送方向切替部材１０１ｄ-1を排紙ボックス１０１ｇ，１０１ｈ側へ切り替えるとともに、廃棄要否テーブルで規定された排紙ボックスの別に従って、搬送方向切替部材１０１ｄ-2を、第１排紙ボックス１０１ｇ又は第２排紙ボックス１０１ｈのいずれかへ切り替え（ステップＳ６）、複数のロール部材１０１ｂによって用紙を搬送する（ステップＳ７）。用紙は搬送方向切替部材１０１ｄ-2の案内に従って、第１排紙ボックス１０１ｇ又は第２排紙ボックス１０１ｈのいずれかへと落下する。そして、制御部１０１ｊは、上記の排出処理の履歴を記憶するなどの付随処理を行って（ステップＳ８）、図９に示す処理を終了する。
【００３８】
ステップＳ８において記憶部１０１ｋに記憶された各種の履歴は、定期的に、又は操作者、データベースサーバ装置２０１或いはオペレータ端末２０２から指示があったときに、制御部１０１ｊにより記憶部１０１ｋから読み出され、表示操作部１０１ｎに出力（表示）されたり、通信部１０１からデータベースサーバ装置２０１やオペレータ端末２０２に送信（出力）される。
【００３９】
以上説明した実施形態によれば、用紙の種別に応じて、その用紙の廃棄の要否を判定するので、廃棄すべきでない用紙の廃棄を制限することが可能となる。また、種別毎の廃棄の要否を管理権限のある操作者が自由に設定できるので、廃棄装置を使用する組織や個人にとって都合の良い廃棄制限を実現することができる。また、履歴の記録など、廃棄処理に付随する各種の処理をも行うことができるので、後から履歴を確認するなどの作業に役立つ。また、用紙を廃棄せずに排紙ボックスに排出する場合であっても、その排紙ボックスを、用紙の種別に応じて異ならせることができるので、どの排紙ボックスに排出されたかということを見れば、どのような理由で廃棄されなかったかが一目瞭然となる。
【００４０】
［変形例］
上記実施形態を次のように変形してもよい。以下の変形例は、各々を適宜に組み合わせることも可能である。
上述した実施形態においては、「シート状物」の一例として用紙を挙げたが、シート状物はこれに限らず、例えばＩＣカード等のカード状の物体や、合成樹脂製のフィルムなどであってもよい。用紙に含有される磁性材料は、必ずしも用紙に漉き混まれている必要はなく、磁性材料を用紙から分離する際にその用紙が破壊してしまうような方法であれば、どのような方法で磁性材料を用紙に付してもよい。また、この磁性材料はは、大バルクハウゼン効果を有する繊維状の磁性体としたが、その形状や大きさは任意である。また、大バルクハウゼン効果を有するものに限らない。要するに、何らかの検出値を検出することが可能な被検出体であればよい。また、２次元コード画像も、２次元コード形式である必要はなく、符号化された情報を表す画像であればよい。
【００４１】
実施形態では、磁性材料の有無と２次元コード画像の有無との組み合わせによって用紙の種別を区分していたが、必ずしもこれらの組み合わせによらず、磁性材料の有無に基づいて用紙の種別を区分してもよいし、２次元コード画像の有無に基づいて用紙の種別を区分してもよい。また、磁性材料の有無及び２次元コード画像以外に検出可能なものを用紙に付しておいて、それら全ての有無の組み合わせによって用紙の種別を区分してもよい。つまり、検出部１０によって検出可能な検出値乃至検出情報を用紙に付しておき、その検出値乃至検出情報に基づいて用紙の種別を判定すればよい。
【００４２】
実施形態では、用紙トレイ１０１ａに１枚ずつ用紙を置き、その置かれた状態の用紙から磁性材料の有無を確認するようになっていた。これを、用紙を複数枚収容可能な用紙トレイから１枚ずつ用紙を取り出して、磁性材料及び２次元コード画像の有無を１枚ずつ確認するような構成としても良い。この場合、磁性材料を検出する検出部１０の位置は、用紙トレイに収容された状態の複数枚の用紙のいずれからも磁性材料を検出しないような距離だけ、その用紙トレイから離れた位置であって、且つ、搬送方向切替部材１０１ｄ-1の位置よりも搬送方向手前側の位置である必要がある。
【００４３】
実施形態では、制御部１０１ｊにより廃棄否と判定された場合、その用紙を第１排紙ボックス１０１ｇ又は第２排紙ボックス１０１ｈに排出するとともに、ネットワーク２００を介してオペレータ端末２０２にメッセージアラームを出力していた。
これを次のようにしてもよい。
制御部１０１ｊは、廃棄否と判定された場合、ロール部材１０１ｃ-1の回転を止めて用紙の搬送を一時停止させ、その用紙の廃棄の要否を問い合わせるメッセージをオペレータ端末２０２に送信するか、または、表示操作部１０１ｎに表示する。オペレータ端末２０２又は表示操作部１０１ｎに表示されたメッセージを見た操作者が、廃棄要を指示する操作を行うと、制御部１０１ｊは、その指示を受け付けることで、上記問い合わせに対する応答を受け取る。そして、制御部１０１ｊは、搬送方向切替部材１０１ｄ-1を裁断装置１０２側へと切り替えて、用紙を裁断装置１０２の開口部へと搬送する。そして、用紙検知部１０２ｃが、開口部１０２ａから裁断装置１０２内部へ進入してくる用紙を検知すると、カッター部１０２ｂが円形刃の回転を開始し、この回転刃の回転により用紙が細かく裁断され、その裁断屑が裁断屑収納箱１０２ｄへと落下する。一方、制御部１０１ｊは、一定期間待機しても、上記問い合わせに対する応答を受け取ることができなければ、搬送方向切替部材１０１ｄ-1を排紙ボックス１０１ｇ，１０１ｈ側へと切り替えて、用紙を第１排紙ボックス１０１ｇ又は第２排紙ボックス１０１ｈへと搬送する。
【００４４】
また、操作者を認証する認証手段を廃棄装置１００に設けておき、この認証手段の認証により、操作者の正当性や権限を確認してから、廃棄装置１００が上記の各処理を行うようにしてもよい。この認証手段は、例えば操作者が所持するＩＣ（Integrated Circuit）カードからユーザＩＤを読み取って予め登録した内容と照合する読取装置であってもよいし、操作者の指紋や虹彩などの生体情報を読み取って予め登録した内容と照合する読取装置であってもよい。そして、認証を行うタイミングは、用紙から磁性材料や２次元コード画像を検出する前のタイミングであってもよいし、その検出後のタイミングでもよい。検出前のタイミングに認証を行う場合、認証処理により操作者の正当性が確認できたときに、制御部１０１ｊは図９に示す処理を開始すればよい。また、検出後のタイミングに認証を行う場合、用紙から磁性材料や２次元コード画像を検出した後で、且つ、その用紙の搬送方向先端部分が搬送方向切替部材１０１ｄ-1に差しかかる前に、制御部１０１ｊは、その用紙の搬送を一旦停止し、操作者にユーザ認証の手続を促すメッセージを表示操作部１０１ｎに表示する。そして、ユーザの正当性が確認できると、制御部１０１ｊは、廃棄要否の判定結果に応じた処理を行う。
【００４５】
用紙の処理に関する履歴には様々なものを含み得る。
例えば、画像読取部１０１ｅ，１０１ｆとほぼ同じ位置に、用紙に形成されている原稿の内容そのものを読み取る画像読取部を設けておき、制御部１０１ｊは、この画像読取部によって読み取った原稿画像そのものを用紙の処理に関する履歴として記憶部１０１ｋに記憶するようにしてもよい。このようにすれば、廃棄又は排出された用紙の原稿内容を、記憶しておいた画像によって確認することができる。
【００４６】
上述した実施形態においては、画像読取部１０１ｅ，１０１ｆを用紙トレイ１０１ａの上方と下方にそれぞれ設けられていたが、用紙を反転させることによってその両面から２次元コード画像の検出を試みることができる構成であれば、用紙トレイ１０１ａの上方又は下方のいずれか一方に画像読取部を設けるようにしてもよい。
【００４７】
実施形態では、用紙を廃棄する廃棄手段として、カッター部１０２ｂという１種類の廃棄手段しか備えていなかったが、これを、磁性材料を含有する用紙を廃棄する廃棄手段と、磁性材料を含有しない用紙を廃棄する廃棄手段という、複数種類の廃棄手段を有する構成としてもよい。
用紙に磁性材料が含有されている場合、その廃棄（裁断）に要する回転刃の回転トルクや回転刃の構造は、用紙に磁性材料が含有されていない場合とは異なっていたほうが好ましいことがある。そこで、廃棄対象となる用紙に応じて設計された複数の廃棄手段を廃棄装置１００に実装しておくとよい。この場合、記憶部１０１ｋの廃棄要否テーブルには、図７に示した廃棄要否情報等に加えて、廃棄要の場合に用紙の搬送先となる廃棄手段の別が、用紙の種別と対応付けて記述されている。そして、制御部１０１ｊは、廃棄要と判定した場合、用紙の種別に対応付けて廃棄要否テーブルに記述されている廃棄手段を特定し、ロール部材や搬送方向切替部材等を制御して、特定した廃棄手段へと用紙を搬送する。
【００４８】
また、上記のように複数種類の廃棄手段を備えるのではなく、１種類の廃棄手段が異なる方法で用紙を廃棄可能に構成してもよい。例えばモータの出力や回転刃に連結するギア比を変えることで、回転刃の回転トルクを変えることが可能であるから、カッター部１０２ｂを、それぞれ異なる回転トルクに対応した複数の廃棄方法を実現可能に構成する。この場合、記憶部１０１ｋの廃棄要否テーブルには、図７に示した廃棄要否情報等に加えて、廃棄要の場合に用紙の廃棄方法の別（例えば回転トルクが大きい又は小さい）が、用紙の種別と対応付けて記述されている。また、仕分搬送装置１０１の制御部１０１ｊは、裁断装置１０２側のモータの出力や回転刃に連結するギア比を制御することが可能なように構成されている。そして、制御部１０１ｊは、廃棄要と判定した場合、廃棄要否テーブルにおいて用紙の種別に対応付けられている廃棄方法を特定し、モータの出力や回転刃に連結するギア比を制御することで廃棄方法を変える。
【００４９】
上述した実施形態においては、用紙を廃棄しない場合には排紙ボックス１０１ｇ，１０１ｈに用紙を排出し、その排紙ボックス１０１ｇ，１０１ｈ内に収容するようにしていた。、つまり、この排紙ボックス１０１ｇ，１０１ｈが非廃棄手段として機能していたが、非廃棄手段は、このような箱状の排紙ボックス１０１ｇ，１０１ｈに限らず、要するに、用紙を廃棄せずに収容又は排出する構成のものであれば良い。例えば外部から鍵でのみ開閉可能な閉空間に用紙を収容するようにしてもよいし、単に廃棄装置１００の外部に排出するだけの構成であってもよい。
【００５０】
また、廃棄否と判断された場合に、その用紙を非廃棄手段に対して搬送するのではなく、その用紙の搬送を停止するような構成としてもよい。例えば用紙トレイ１０１ａに置かれた用紙から２次元コード画像を検出することができる箇所に画像読取部１０１ｅ，１０１ｆを設けておくと、用紙トレイ１０１ａに用紙を置いたまま（つまり用紙を搬送せずに）、２次元コード画像を読み取ることができる。制御部１０１ｊは、用紙から検出した磁性材料と２次元コード画像の有無から廃棄の要否を判定し、廃棄否であれば、その用紙を搬送せずに用紙トレイ１０１ａに置いたままの状態を維持し続ける。このようにすれば、操作者は、用紙が搬送されないので、その用紙を廃棄してはいけないことを知ることができる。このとき、制御部１０１ｊは、廃棄否の旨を表示操作部１０１ｎに表示したり、メッセージアラームをオペレータ端末２０２に送信したりすると、さらに望ましい。
【図面の簡単な説明】
【００５１】
【図１】シート状物の一例を示す平面図である。
【図２】大バルクハウゼン効果を説明する図である。
【図３】シート状物の一例を示す平面図である。
【図４】本発明の一実施形態である廃棄装置の構造を示す図である。
【図５】検出部の構成を示す図である。
【図６】廃棄装置の機能構成を示すブロック図である。
【図７】廃棄要否テーブルの内容を例示する図である。
【図８】処理枚数テーブルの内容を例示する図である。
【図９】制御部が実行する処理を示すフローチャートである。
【符号の説明】
【００５２】
１０…検出部、１００…廃棄装置、１０１…仕分搬送装置、１０２…裁断装置、１０１ｊ…制御部、１０１ｅ，１０１ｆ…画像読取部、１０１ｇ，１０１ｈ…排紙ボックス。
【図１】
2009015243.tif 000003
【図２】
2009015243.tif 000004
【図３】
2009015243.tif 000005
【図４】
2009015243.tif 000006
【図５】
2009015243.tif 000007
【図６】
2009015243.tif 000008
【図７】
2009015243.tif 000009
【図８】
2009015243.tif 000010
【図９】
2009015243.tif 000011